(57)【要約】  本発明のスライドファスナー(1)は、スライダー(30)の摺動時に同スライダー(30)の内面に接触して摺動抵抗を増大させる抵抗部を備えた少なくとも１つの停止エレメント(15,51-63)が、ファスナーストリンガー(10)のエレメント列(12)に局部的に配されている。これにより、スライダー(30)をエレメント列(12)の停止エレメント(15,51-63)が配されている任意の位置にて停止させることができ、また、そのスライダー(30)の停止状態を保持できる。また、スライダー(30)を停止エレメント(15,51-63)との間の摺動抵抗よりも大きな力で操作することにより停止エレメント(15,51-63)の抵抗部を乗り越えさせて、同スライダー(30)をエレメント列(12)に沿って摺動させることができる。
2012127688.tif 000002
【特許請求の範囲】
【請求項１】
第１及び第２ファスナーテープ(11)の対向するテープ側縁部にエレメント列(12)が配された左右一対の第１及び第２ファスナーストリンガー(10)と、前記エレメント列(12)に沿って摺動可能なスライダー(30)とを有し、前記エレメント列(12)は、前記テープ側縁部に所定の間隔をもって取着された複数のファスナーエレメント(13)により構成され、前記スライダー(30)は、上下翼板(33,34,73,74,83,84,93,94) と、前記上下翼板(33,34,73,74,83,84,93,94) 間を連結する案内柱(35,75,85,95) と、前記上下翼板(33,34,73,74,83,84,93,94) の少なくとも一方の左右側縁部に配されたフランジ部(36,76,86,96) とを有するスライドファスナー(1,2,3,4,5) であって、
前記スライダー(30)の摺動時に同スライダー(30)の内面に接触して摺動抵抗を増大させ、前記スライダー(30)をロック可能な抵抗部を備えた少なくとも１つの停止エレメント(15,51-63)が、前記エレメント列(12)に局部的に配されてなる、
ことを特徴とするスライドファスナー。
【請求項２】
前記抵抗部は、前記停止エレメント(15,51-57,60,63)のテープ表裏方向の寸法を前記スライダー(30)の前記上下翼板(33,34,73,74,83,84,93,94)間の間隔よりも大きくして構成されてなる請求項１記載のスライドファスナー。
【請求項３】
前記抵抗部は、前記停止エレメント(15,51-57,60,63)のテープ表裏方向に向いた第１面及び第２面の少なくとも一方に隆起した少なくとも１つの隆起部(15e,51e-57e,60e,63e)により構成されてなる請求項２記載のスライドファスナー。
【請求項４】
前記停止エレメント(15,51-57,60,63)におけるテープ表裏方向の寸法の最も大きい部分が、前記第１又は第２ファスナーテープ(11)の芯紐部(17)上に配されてなる請求項１記載のスライドファスナー。
【請求項５】
前記スライダー(30)の左右側縁部に、前記第１及び第２ファスナーテープ(11)を挿通させるテープ溝(39)が配され、
前記停止エレメント(59,60,61)は、前記スライダー(30)の前記テープ溝(39)を挿通するヒレ部(59f,60f,61f) を有し、
前記抵抗部は、前記ヒレ部(59f,60f,61f) のテープ表裏方向の寸法を前記テープ溝(39)の溝幅よりも大きくして構成されてなる、
請求項１記載のスライドファスナー。
【請求項６】
前記停止エレメント(62)は、テープ内方側の壁面にテープ幅方向に突出する突出部(62h) を有し、
前記抵抗部は、前記突出部(62h) の突出寸法を、左右の前記エレメント列(12)の噛合時におけるチェーン幅が前記スライダー(30)の左右フランジ部(36,76,86,96) 間の最小間隔よりも大きくなるように設定して構成されてなる、
請求項１記載のスライドファスナー。
【請求項７】
前記停止エレメント(15,51-63)及び前記スライダー(30)の少なくとも一方が、テープ表裏方向又はテープ幅方向に弾性変形可能に構成されてなる請求項１〜６のいずれかに記載のスライドファスナー。
【請求項８】
前記抵抗部は、テープ長さ方向に傾斜する傾斜面又はテープ長さ方向に湾曲する湾曲面を有してなる請求項１〜７のいずれかに記載のスライドファスナー。
【請求項９】
前記停止エレメント(15,51-63)は、テープ長さ方向に２つ以上連続して前記エレメント列(12)に配されてなる請求項１〜８のいずれかに記載のスライドファスナー。
【請求項１０】
前記停止エレメント(15,51-63)は、前記第１及び第２ファスナーストリンガー(10)の一方又は両方の前記エレメント列(12)に配されてなる請求項１〜９のいずれかに記載のスライドファスナー。
【請求項１１】
前記第１及び第２ファスナーストリンガー(10)に開離嵌挿具(40)が配され、
前記停止エレメント(15,51-63)は、前記開離嵌挿具(40)の箱棒(42)が配されている側の前記エレメント列(12)に配されてなる、
請求項１〜１０のいずれかに記載のスライドファスナー。
【請求項１２】
前記停止エレメント(15,51-63)は、前記エレメント列(12)の開口側端部から当該エレメント列(12)全体の長さ寸法の２０％以内の領域に配されてなる請求項１〜１１のいずれかに記載のスライドファスナー。
【請求項１３】
前記スライダーは、前記上下翼板(73,74,83,84,93,94) の少なくとも一方に一体に設けられ、前記停止エレメント(15,51-63)に干渉して前記スライダー(30)の停止状態を保持するロック部(72,82,92)を有し、
前記ロック部(72,82,92)は、テープ表裏方向に弾性変形可能に構成されてなる、
請求項１〜１２のいずれかに記載のスライドファスナー。
【請求項１４】
前記ロック部(72,82,92)は、前記上翼板(73,83,93)の主内壁面又は前記下翼板(74,84,94)の主内壁面よりも、テープ表裏方向の内側に突設された凸部(72b,82b,92b) を有してなる請求項１３記載のスライドファスナー。
【請求項１５】
前記上下翼板(73,74) の少なくとも一方に、後口側端部又は肩口側端部から切り込まれた一対のスリット(79)が配され、
前記凸部(72b) は、前記スリット(79)間に挟まれた弾性片部(72a) の先端に配されてなる、
請求項１４記載のスライドファスナー。
【請求項１６】
前記上下翼板(73,74,83,84,93,94) の少なくとも一方に、前記抵抗部との干渉を回避する凹溝部(73a,83a,93a) が配されてなる請求項１〜１５のいずれかに記載のスライドファスナー。
【請求項１７】
上下翼板(73,74,83,84,93,94) と、前記上下翼板(73,74,83,84,93,94) 間を連結する案内柱(75,85,95)と、前記上下翼板(73,74,83,84,93,94)の少なくとも一方の左右側縁部に配されたフランジ部(76,86,96)とを有するスライドファスナー用のスライダーであって、
前記上下翼板(73,74,83,84,93,94)の少なくとも一方に一体に設けられ、前記スライドファスナーのファスナーエレメント(13)に干渉して前記スライダーの停止状態を保持するロック部(72,82,92)を有し、
前記ロック部(72,82,92)は、テープ表裏方向に弾性変形可能に構成されてなる、
ことを特徴とするスライダー。
【請求項１８】
前記ロック部(72,82,92)は、前記上翼板(73,83,93)の主内壁面又は前記下翼板(74,84,94)の主内壁面よりも、上下方向の内側に突設された凸部(72b,82b,92b) を有してなる請求項１７記載のスライダー。
【請求項１９】
前記上下翼板(73,74) の少なくとも一方に、後口側端部又は肩口側端部から切り込まれた一対のスリット(79)が配され、
前記凸部(72b) は、前記スリット(79)間に挟まれた弾性片部(72a) の先端に配されてなる、
請求項１８記載のスライダー。
【請求項２０】
前記上下翼板(33,34,73,74,83,84,93,94)の少なくとも一方に、前記スライドファスナーのファスナーエレメント(13)との干渉を回避する凹溝部(73a,83a,93a) が配されてなる請求項１７〜１９のいずれかに記載のスライダー。
【発明の詳細な説明】
【技術分野】
【０００１】
本発明は、エレメント列の所定の位置でスライダーを止めることが可能なスライドファスナーに関し、特に、停止爪を具備しない自由スライダーをエレメント列の所定の位置でロックさせることが可能な簡易ロック機構を有するスライドファスナーに関する。
【背景技術】
【０００２】
従来、スライドファスナーは各種の衣類や鞄類の開口部に取り付けられ、そのスライドファスナーに配されたスライダーを摺動操作して左右のエレメント列を噛合又は分離させることにより、開口部が開閉される。また、衣類の前身頃に取着されるスライドファスナーには、スライダーをエレメント列の一端部まで摺動させた後に、左右のファスナーストリンガーを引き離すことが可能な開離嵌挿具が配されたものが知られている。【０００３】
このような開離嵌挿具を備えたスライドファスナーの一例が、特開２００９−９５４２５号公報（特許文献１）に開示されている。例えば図１４に示すように、特許文献１に記載されているスライドファスナー２０は、長さ方向の両端部側から開くことが可能なスライドファスナーである。【０００４】
このスライドファスナー２０は、エレメント列２４を備える左右の第１及び第２ファスナーストリンガー２１と、エレメント列２４に沿って摺動可能な前後の第１及び第２スライダー２２ａ，２２ｂと、エレメント列２４の一端側（前端側）に配された左右の止具と、第１ファスナーストリンガー２１におけるエレメント列２４の他端側（後端側）に固着された蝶棒２５と、第２ファスナーストリンガー２１におけるエレメント列２４の他端側（後端側）に固着された箱棒２６とを有している。【０００５】
第１及び第２ファスナーストリンガー２１は、それぞれ、テープ側縁に芯紐部２３ａが配されたファスナーテープ２３と、エレメント列２４を構成する複数のファスナーエレメント２４ａとを有しており、複数のファスナーエレメント２４ａは、ファスナーテープ２３の対向するテープ側縁部に所定の間隔をもって取着されている。【０００６】
第１スライダー２２ａは、第２スライダー２２ｂよりも前方に配されており、これらの第１及び第２スライダー２２ａ，２２ｂは、スライダー胴体と、スライダー胴体に回動可能に保持された引手とを備えた所謂自由スライダーとして構成されている。スライダー胴体は、上下翼板と、同上下翼板の一端部間を連結する案内柱と、上下翼板の左右側縁部から互いに接近する方向に延設された左右のフランジ部と、上翼板の上面に門型形状に立設された引手取付柱と有している。【０００７】
また、スライダー胴体の一端には、案内柱を間に挟んで左右の肩口が設けられ、スライダー胴体の後端には後口が設けられている。更に、上下翼板間には、左右の肩口と後口とを連通する略Ｙ字形状のエレメント案内路が配されている。この場合、第１及び第２スライダー２２ａ，２２ｂは、互いの後口が対向するようにエレメント列２４に挿通されている。【０００８】
特許文献１の蝶棒２５は、ファスナーテープ２３に固着された略角柱状の蝶棒本体２５ａと、蝶棒本体２５ａのエレメント列２４側の端部領域に箱棒２６に向けて張り出した張出部２５ｂと、張出部２５ｂの先端部から前方に突出した突起部２５ｃとを有している。【０００９】
一方、箱棒２６は、ファスナーテープ２３に固着された箱棒本体２６ａと、箱棒本体２６ａの下端部に配されたフック状のストッパー部２６ｂと、箱棒本体２６ａの蝶棒２５に対向する側面から蝶棒２５に向けて突設された突出部２６ｃと、箱棒本体２６ａの上端部表面に隆起した隆起部２６ｄとを有している。【００１０】
このような特許文献１のスライドファスナー２０は、後口同士を対向させて配した第１及び第２スライダー２２ａ，２２ｂを有しているため、噛合状態にある左右のエレメント列２４を同エレメント列２４の一端（前端）からだけでなく、他端（下端）からでも分離することが可能に構成されている。【００１１】
特に特許文献１では、箱棒２６に箱棒本体２６ａから隆起する隆起部２６ｄが配されているため、第１及び第２スライダー２２ａ，２２ｂを箱棒２６側の末端位置（下端位置）まで摺動させて箱棒２６に保持したときに、箱棒２６の隆起部２６ｄが第１スライダー２２ａのスライダー胴体内面に密接し、箱棒２６に対する第１スライダー２２ａの摩擦力を増大させる。【００１２】
これにより、第１スライダー２２ａを箱棒２６の所定位置に停止させたときに、その停止位置で第１スライダー２２ａを保持し、箱棒２６に対する第１スライダー２２ａの相対的な位置を安定させるとともに、第１スライダー２２ａが箱棒２６に保持されている状態から勝手に摺動することを抑制できる。【００１３】
このため、例えば第１及び第２スライダー２２ａ，２２ｂに対して蝶棒２５を挿入する操作を行う際に、第１及び第２スライダー２２ａ，２２ｂの位置がずれることを防止し、蝶棒２５を第１スライダー２２ａや第２スライダー２２ｂに引っ掛からせることなく円滑に挿入できるといった効果が得られる。【００１４】
ところで、従来のスライドファスナーには、使用される製品（ファスナー被着製品）によって様々な機能を有するものがある。例えば、衣類等に使用されるスライドファスナーのスライダーには、エレメント列に対して摺動を停止させたときに、スライダーをそのエレメント列の停止位置で保持することが可能な停止機構を備えているものが知られている。【００１５】
停止機構を備えたスライダーの一例は、例えば特開２００９−９５３７０号公報（特許文献２）に開示されている。この特許文献２に記載されているスライダーは、スライダー胴体のエレメント案内路内に進退可能に配される停止爪体を有しており、この停止爪体は、板バネ部材によって付勢されて、同停止爪体の一部（停止爪部）をエレメント案内路内に進出させるようにしてスライダー胴体に組み付けられている。【００１６】
このような停止爪体を有する特許文献２のスライダーでは、引手を操作してスライダーを摺動させるときに、引手が板バネ部材の付勢に抗して停止爪体を持ち上げて、停止爪部をエレメント案内路から退避させるため、スライダーを円滑に摺動させることができる。一方、スライダーを停止させて引手の操作を終えたときには、停止爪体が板バネ部材により付勢され、停止爪部がエレメント案内路内に進出してファスナーエレメントに係止されるため、スライダーをその停止位置で安定して保持することが可能となる。【００１７】
一方、特開２００４−４１４４０号公報（特許文献３）には、スライダーをエレメント列に沿って摺動させたときに、音を発生させる機能を有するスライドファスナーが開示されている。【００１８】
この特許文献３に記載されているスライドファスナーは、エレメント列を備える左右の第１及び第２ファスナーストリンガーと、エレメント列に沿って摺動可能なスライダーとを有している。また、エレメント列を構成する全てのファスナーエレメントは、エレメント上面に配された突起を有しており、各ファスナーエレメントに設けられた突起は、スライダーの摺動を妨げたり、人体を傷つけることのないように構成されている。更に、スライダーには、ファスナーエレメントに設けた突起に当接することにより音を発生させる爪部を備えた発音室が配されている。【００１９】
このような構成を有する特許文献３のスライドファスナーは、エレメント列に沿ってスライダーを摺動させたときに、スライダーの爪部がファスナーエレメントの突起に当接してはじかれることにより、スライダーの発音室で音を発生させることができる。これにより、例えばカバンの開口部に特許文献３のスライドファスナーを取着することにより、その開口部を開閉する度に音色を奏でることが可能となるため、スリや盗難の際に気が付き易く、防犯性が高められる。
【先行技術文献】
【特許文献】
【００２０】
【特許文献１】特開２００９−９５４２５号公報
【特許文献２】特開２００９−９５３７０号公報
【特許文献３】特開２００４−４１４４０号公報
【発明の概要】
【発明が解決しようとする課題】
【００２１】
例えばスライドファスナーが衣類等に使用される場合、エレメント列を開閉させるスライダーをエレメント列の所望の位置で停止させ、そのスライダーの停止位置を保持したいことがある。しかし、特許文献１に記載されているスライドファスナー２０では、停止爪体のような停止機構を備えない自由スライダーが第１及び第２スライダー２２ａ，２２ｂとして用いられているため、基本的にこれらの第１及び第２スライダー２２ａ，２２ｂをエレメント列２４の所望の位置で停止させることができない。【００２２】
また、第１及び第２スライダー２２ａ，２２ｂがエレメント列２４の途中位置で停止したとしても、スライドファスナー２０が振動等を受けた際に各スライダーの自重によりエレメント列２４に沿って下がり易く、スライドファスナー２０が使用者の意思に反して勝手に開閉してしまうことがあった。また、左右のファスナーストリンガー２１を離間するように引っ張った際に、スライダーがファスナーエレメント２４ａから左右のフランジ部を介して応力（横引き力）を受けるため、スライダーが使用者の意思に反して摺動してしまうこともあった。【００２３】
また、特許文献３に記載されているスライドファスナーは、ファスナーエレメントに配された突起を利用することによりスライダーの摺動時に音を発生させることができる。しかし、特許文献３のスライドファスナーでは、全てのファスナーエレメントのエレメント上面に突起が設けられているため、エレメント列に沿ってスライダーを摺動させるときの摺動抵抗を増大させ、スライダーの操作性を低下させるという問題があった。【００２４】
一方、特許文献２に係るスライダーは、前述のように、ファスナーエレメントに係止可能な停止爪体による停止機構を備えているため、例えば特許文献２のスライダーを、特許文献１における第１及び第２スライダーとして用いることにより、同スライダーをエレメント列の所望の位置で停止させることが可能となる。【００２５】
しかし、このような停止爪体を有するスライダーの場合、停止爪体の停止爪部がファスナーエレメントに係止されている状態のまま、使用者がファスナーストリンガーを引っ張って開くことが事実上不可能であった。また、仮に左右の第１及び第２ファスナーストリンガーが互いに離間する方向に瞬間的に強く引っ張られる場合等のようにスライダーが何らかのはずみで強制的に摺動させられると、停止爪体やファスナーエレメントが破損し易くなり、スライドファスナーを故障させる要因の一つとなっていた。【００２６】
本発明は上記従来の課題に鑑みてなされたものであって、その具体的な目的は、スライダーをエレメント列に対して任意の位置で停止させることが可能であり、且つ、使用者の意思でスライドファスナーを素早く開きたい場合には、左右のファスナーストリンガーを互いに離間する方向に力を加えることにより、スライダーやファスナーエレメントなどに破損を生じさせることなく開くことが可能なスライドファスナー、及び同スライドファスナーに使用されるスライダーを提供することにある。
【課題を解決するための手段】
【００２７】
上記目的を達成するために、本発明により提供されるスライドファスナーは、基本的な構成として、第１及び第２ファスナーテープの対向するテープ側縁部にエレメント列が配された左右一対の第１及び第２ファスナーストリンガーと、前記エレメント列に沿って摺動可能なスライダーとを有し、前記エレメント列は、前記テープ側縁部に所定の間隔をもって取着された複数のファスナーエレメントにより構成され、前記スライダーは、上下翼板と、前記上下翼板間を連結する連結柱と、前記上下翼板の少なくとも一方の左右側縁部に配されたフランジ部とを有するスライドファスナーであって、前記スライダーの摺動時に同スライダーの内面に接触して摺動抵抗を増大させ、前記スライダーを停止可能な抵抗部を備えた少なくとも１つの停止エレメントが、前記エレメント列に局部的に配されてなることを最も主要な特徴とするものである。【００２８】
本発明に係るスライドファスナーにおいて、前記抵抗部は、前記停止エレメントのテープ表裏方向の寸法を前記スライダーの前記上下翼板間の間隔よりも大きくして構成されていることが好ましい。【００２９】
この場合、前記抵抗部は、前記停止エレメントのテープ表裏方向に向いた第１面及び第２面の少なくとも一方に隆起した少なくとも１つの隆起部により構成されていることが特に好ましい。【００３０】
また、本発明に係るスライドファスナーでは、前記停止エレメントにおけるテープ表裏方向の寸法の最も大きい部分が、前記第１又は第２ファスナーテープの芯紐部上に配されていることが好ましい。【００３１】
更に、本発明のスライドファスナーでは、前記スライダーの左右側縁部に、前記第１及び第２ファスナーテープを挿通させるテープ溝が配され、前記停止エレメントは、前記スライダーの前記テープ溝を挿通するヒレ部を有し、前記抵抗部は、前記ヒレ部のテープ表裏方向の寸法を前記テープ溝の溝幅よりも大きくして構成されていることが好ましい。【００３２】
更にまた、本発明のスライドファスナーにおいて、前記停止エレメントは、テープ内方側の壁面にテープ幅方向に突出する突出部を有し、前記抵抗部は、前記突出部の突出寸法を、左右の前記エレメント列の噛合時におけるチェーン幅が前記スライダーの左右フランジ部間の最小間隔よりも大きくなるように設定して構成されていることが好ましい。【００３３】
また、本発明では、前記停止エレメント及び前記スライダーの少なくとも一方が、テープ表裏方向又はテープ幅方向に弾性変形可能に構成されていることが好ましい。
更に、前記抵抗部は、テープ長さ方向に傾斜する傾斜面又はテープ長さ方向に湾曲する湾曲面を有していることが好ましい。【００３４】
また、本発明において、前記停止エレメントは、テープ長さ方向に２つ以上連続して前記エレメント列に配されていることが好ましい。
更に、前記停止エレメントは、前記第１及び第２ファスナーストリンガーの一方又は両方の前記エレメント列に配されていることが好ましい。【００３５】
更にまた、本発明では、前記停止エレメントが、前記エレメント列の開口側端部から当該エレメント列全体の長さ寸法の２０％以内の領域に配されていることが好ましい。また、前記第１及び第２ファスナーストリンガーに開離嵌挿具が配され、前記停止エレメントは、前記開離嵌挿具の箱棒が配されている側の前記エレメント列に配されていることが好ましい。【００３６】
本発明のスライドファスナーにおいて、前記スライダーは、前記上下翼板の少なくとも一方に一体に設けられ、前記停止エレメントに干渉して前記スライダーの停止状態を保持するロック部を有し、前記ロック部は、テープ表裏方向に弾性変形可能に構成されていることが好ましい。【００３７】
この場合、前記ロック部は、前記上翼板の主内壁面又は前記下翼板の主内壁面よりも、テープ表裏方向の内側に突設された凸部を有していることが好ましく、特に、前記上下翼板の少なくとも一方に、後口側端部又は肩口側端部から切り込まれた一対のスリットが配され、前記凸部は、前記スリット間に挟まれた弾性片部の先端に配されていることが好ましい。
更に本発明では、前記上下翼板の少なくとも一方に、前記抵抗部との干渉を回避する凹溝部が配されていることが好ましい。【００３８】
次に、本発明により提供されるスライダーは、基本的な構成として、上下翼板と、前記上下翼板間を連結する連結柱と、前記上下翼板の少なくとも一方の左右側縁部に配されたフランジ部とを有するスライドファスナー用のスライダーであって、前記上下翼板の少なくとも一方に一体に設けられ、前記スライドファスナーのファスナーエレメントに干渉して前記スライダーの停止状態を保持するロック部を有し、前記ロック部は、テープ表裏方向に弾性変形可能に構成されてなることを最も主要な特徴とするものである。【００３９】
このような本発明のスライダーにおいて、前記ロック部は、前記上翼板の主内壁面又は前記下翼板の主内壁面よりも、上下方向の内側に突設された凸部を有していることが好ましく、特に、前記上下翼板の少なくとも一方に、後口側端部又は肩口側端部から切り込まれた一対のスリットが配され、前記凸部は、前記スリット間に挟まれた弾性片部の先端に配されていることが好ましい。
また本発明では、前記上下翼板の少なくとも一方に、前記スライドファスナーのファスナーエレメントとの干渉を回避する凹溝部が配されていることが好ましい。
【発明の効果】
【００４０】
本発明に係るスライドファスナーでは、エレメント列を構成するファスナーエレメントの少なくとも１つに、スライダーの摺動時に同スライダーの内面に接触して摺動抵抗を増大させ、前記スライダーを停止可能（ロック可能）な抵抗部を備えた停止エレメントが配されている。特に本発明では、この停止エレメントが、エレメント列のスライダーを停止させたい位置に局部的に配されている。【００４１】
このような停止エレメントによる簡易ロック機構を有する本発明のスライドファスナーによれば、スライダーが例えば前記特許文献２のような停止爪体を具備していなくても、スライダーと停止エレメントとの間の摺動抵抗を利用することにより、スライダーをエレメント列の停止エレメントが配されている任意の位置にて簡易的に停止させ、そのスライダーの停止状態を保持できる。【００４２】
このため、例えば本発明のスライドファスナーが衣類の前身頃などに取着された場合に、エレメント列の停止エレメントによってスライダーの停止位置を容易に保持することができるため、同スライドファスナーが振動を受けたとしても、スライダーが自重によりエレメント列を移動することを防止できる。これにより、スライドファスナーが使用者の意思に依らずに勝手に開閉するという不具合が発生することを防止できる。【００４３】
また、スライダーの停止状態は、スライダーの内面とファスナーエレメントとの間の大きな摺動抵抗によって保持されている。このため、例えば左右の第１及び第２ファスナーストリンガーを分離させるように、スライダーを停止エレメントとの間の摺動抵抗よりも大きい適切な力で操作することにより、スライダーが停止エレメントの抵抗部を乗り越えるため、同スライダーをエレメント列に沿って摺動させることができる。また、例えば使用者の意思で、スライダーを摺動させるために左右のファスナーストリンガーを互いに離間する方向に力を加えることによっても、スライダーが停止エレメントの抵抗部を乗り越えて摺動することが可能となる。【００４４】
従って、本発明では、例えば特許文献２のようにスライダーの一部がファスナーエレメントに係止された状態のままで同スライダーが強制的に摺動させられる事態は生じないため、スライダーやファスナーエレメントなどに破損が生じ難くなり、その結果、スライドファスナーの故障を防いで、スライドファスナーの製品寿命を延ばすことが可能となる。【００４５】
特に本発明では、停止エレメントを、エレメント列の任意の位置に局部的に設けることができるため、エレメント列のスライダーを停止させたい所望の位置にのみ停止エレメントを配置して、スライダーの停止効果を得ることができ、また、エレメント列の全体に亘って摺動抵抗が増大することはないため、スライダーの操作性が低下することも抑えられる。なお、本発明において、停止エレメントが接触するスライダーの内面とは、同スライダーにおける上下翼板の内壁面、フランジ部の内壁面、及びフランジ部の突出面（先端面）を言う。【００４６】
このような本発明のスライドファスナーにおいて、前記抵抗部は、停止エレメントのテープ表裏方向の寸法を前記スライダーの前記上下翼板間の間隔よりも大きくして構成されており、特に、停止エレメントのテープ表裏方向に向いた第１面（上面）、第２面（下面）、又は、第１面と第２面の両面に隆起するように配された少なくとも１つの隆起部により構成されている。【００４７】
これにより、スライダーのエレメント案内路内に停止エレメントが挿入されたときに、同停止エレメントの抵抗部を、スライダーの上下翼板の少なくとも一方に確実に当接させて、スライダーの摺動抵抗を増大させることができる。なお、隆起部は、１つの停止エレメントに対して複数設けられていることが好ましい。１つの停止エレメントが複数の隆起部を有していれば、同停止エレメントにてスライダーの摺動抵抗を安定して増大させることができる。【００４８】
また、本発明のスライドファスナーでは、停止エレメントにおけるテープ表裏方向の寸法の最も大きい部分が、第１又は第２ファスナーテープの芯紐部上に配されている。これにより、例えばスライダーを適切な力で摺動させたときに、ファスナーテープの芯紐部を撓ませることにより、スライダーが停止エレメントの抵抗部を容易に乗り越えることが可能となり、停止エレメントがスライダーのエレメント案内路を通過できるようになる。【００４９】
更に、本発明のスライドファスナーでは、スライダーの左右側縁部に、第１及び第２ファスナーテープを挿通させるテープ溝が配されており、停止エレメントは、スライダーのテープ溝を挿通するヒレ部を有している。また、抵抗部は、ファスナーエレメントのヒレ部のテープ表裏方向の寸法をスライダーのテープ溝の溝幅よりも大きくして構成されている。これにより、スライダーのエレメント案内路内に停止エレメントが挿入されたときに、同停止エレメントの抵抗部を、スライダーに配されたフランジ部に確実に当接させて、スライダーの摺動抵抗を増大させることができる。【００５０】
更にまた、本発明のスライドファスナーにおいて、停止エレメントは、テープ内方側の壁面にテープ幅方向に突出する突出部を有しており、同停止エレメントの抵抗部は、突出部の突出寸法を、左右のエレメント列のチェーン幅がスライダーの左右フランジ部間の最小間隔よりも大きくなるように設定して構成されている。これによっても、スライダーのエレメント案内路内に停止エレメントが挿入されたときに、同停止エレメントの抵抗部を、スライダーに配されたフランジ部に確実に当接させて、スライダーの摺動抵抗を増大させることができる。【００５１】
なお、本発明において、エレメント列のチェーン幅とは、左右のエレメント列を噛合させた状態において、左側のファスナーエレメントの左側端縁の位置と右側のファスナーエレメントの右側端縁の位置との間におけるテープ幅方向における寸法を言う。【００５２】
また、本発明のスライドファスナーでは、停止エレメント及びスライダーの少なくとも一方が、テープ表裏方向又はテープ幅方向に弾性変形可能に構成されている。これにより、例えばスライダーを適切な力で摺動させたときに、停止エレメント及びスライダーの少なくとも一方を撓ませることができるため、停止エレメントがスライダーのエレメント案内路を通過することが可能となる。【００５３】
更に本発明では、抵抗部が、テープ長さ方向に傾斜する傾斜面又はテープ長さ方向に湾曲する湾曲面を有している。これにより、停止エレメントをスライダーのエレメント案内路に通過させる際に、スライダーの上下翼板が傾斜面又は湾曲面により案内されて、スライダーが停止エレメントの抵抗部を乗り越えることを補助できる。【００５４】
また本発明において、前記停止エレメントは、テープ長さ方向に２つ以上連続してエレメント列に配されている。これにより、隣接して配されている２つ以上の停止エレメントによってスライダーをより効果的に停止させ、その停止状態を安定して保持することができる。【００５５】
更に本発明では、停止エレメントが、第１及び第２ファスナーストリンガーの一方のエレメント列に配されている場合でも、又は、両方のエレメント列に配されている場合でも、その停止エレメントによってスライダーを停止させることができる。【００５６】
更にまた本発明では、第１及び第２ファスナーストリンガーに開離嵌挿具が配され、停止エレメントは、開離嵌挿具の箱棒が配されている側のエレメント列に配されている。これにより、例えば第１及び第２ファスナーストリンガーが互いに分離している状態にて洗濯等の処理が行われても、箱棒側のエレメント列上でスライダーが摺動することを停止エレメントで効果的に阻止できる。【００５７】
また本発明のスライドファスナーにおいて、前記停止エレメントは、エレメント列の開口側端部から当該エレメント列全体の長さ寸法の２０％以内の領域に配されている。これにより、例えば本発明のスライドファスナーが衣類の前身頃などに取着された場合に、その衣類においてスライダーを停止させる頻度の高い領域内に停止エレメントを効果的に配置でき、スライダーをその領域内で安定して停止させることができる。なお、エレメント列の開口側端部とは、スライドファスナーを閉鎖するようにスライダーを摺動させる方向のスライダー摺動端部である。【００５８】
更に本発明のスライドファスナーにおいて、前記スライダーは、上下翼板の少なくとも一方に一体に設けられ、停止エレメントに干渉してスライダーの停止状態を保持するロック部を有しており、このロック部は、テープ表裏方向に弾性変形可能に構成されている。【００５９】
このようなロック部がスライダーに配されていることにより、停止エレメントとスライダーのロック部との間の摺動抵抗を更に増大させることができ、停止エレメントが配されている位置にてスライダーをより効果的に停止させるとともに、その停止状態をより安定して維持することができる。また、このロック部がテープ表裏方向に弾性変形可能に構成されていることにより、例えばスライダーを適切な力で摺動させたときに、ロック部を撓ませることができるため、停止エレメントを乗り越えてスライダーを摺動させることができる。【００６０】
この場合、前記ロック部は、上翼板の主内壁面又は下翼板の主内壁面よりも、テープ表裏方向の内側に突設された凸部を有している。これにより、ロック部をより確実に停止エレメントの抵抗部に接触させることができる。特に、上下翼板の少なくとも一方に、後口側端部又は肩口側端部から切り込まれた一対のスリットが配されており、前記凸部が、スリット間に挟まれた弾性片部の先端に配されていることにより、ロック部を簡単な構造でテープ表裏方向に確実に弾性変形可能に構成することができる。【００６１】
更に本発明では、上下翼板の少なくとも一方に、抵抗部との干渉を回避する凹溝部が配されている。これにより、スライダーのロック部以外の部位が停止エレメントの抵抗部と過剰に接触することを回避できるため、スライダーの内面と停止エレメントの抵抗部との間の摺動抵抗が増大することを抑制できる。従って、スライダーが停止エレメントの抵抗部を乗り越えられなくなるといった不具合を防止でき、また、スライダーや停止エレメントの磨耗を抑制し、スライドファスナーの製品寿命を長くすることが可能となる。【００６２】
次に、本発明により提供されるスライドファスナーは、上下翼板の少なくとも一方に一体に設けられ、ファスナーエレメントに干渉してスライダーの停止状態を保持するロック部を有しており、このロック部は、テープ表裏方向に弾性変形可能に構成されている。【００６３】
このようなロック部がスライダーに配されていることにより、スライダーの摺動時に同スライダーのロック部を、ファスナーエレメント（例えば、停止エレメント）に接触させて摺動抵抗を増大させることができる。これにより、ロック部が接触するファスナーエレメントが配されている位置にてスライダーを効果的に停止させるとともに、その停止状態をより安定して維持することができる。【００６４】
また、このロック部がテープ表裏方向に弾性変形可能に構成されていることにより、例えばスライダーを適切な力で摺動させたときに、ロック部を撓ませることができる。このため、ロック部がファスナーエレメントに接触しても、ロック部がそのファスナーエレメントを乗り越えることが可能となるため、スライダーをエレメント列に沿って摺動させることができる。【００６５】
このような本発明のスライダーにおいて、前記ロック部は、上翼板の主内壁面又は下翼板の主内壁面よりも、上下方向の内側に突設された凸部を有している。これにより、ロック部をより確実にファスナーエレメントに接触させることができる。特に、上下翼板の少なくとも一方に、後口側端部又は肩口側端部から切り込まれた一対のスリットが配されており、前記凸部が、スリット間に挟まれた弾性片部の先端に配されていることにより、ロック部を簡単な構造でテープ表裏方向に確実に弾性変形可能に構成することができる。【００６６】
更に本発明のスライダーでは、上下翼板の少なくとも一方に、スライドファスナーのファスナーエレメントとの干渉を回避する凹溝部が配されている。これにより、スライダーのロック部以外の部位がファスナーエレメントと過剰に接触することを回避できるため、スライダーの内面とファスナーエレメントとの間の摺動抵抗が増大することを抑制できる。従って、スライダーが摺動不能になるといった不具合を防止でき、また、スライダーやファスナーエレメントの磨耗を抑制し、スライドファスナーの製品寿命を長くすることが可能となる。
【図面の簡単な説明】
【００６７】
【図１】図１は、本発明の実施例１に係るスライドファスナーを示す正面図である。
【図２】図２は、同スライドファスナーに配される停止エレメントを示す斜視図である。
【図３】図３は、同スライドファスナーにおいて、停止エレメントとスライダーとの関係を示す断面図である。
【図４】図４（ａ）〜図４（ｍ）は、停止エレメントの変形例を示す斜視図である。
【図５】図５は、変形例に係る停止エレメントとスライダーとの関係を説明する説明図である。
【図６】図６（ａ）〜図６（ｄ）は、変形例に係る停止エレメントの配置を示す正面図である。
【図７】図７は、変形例に係るスライダーを示す正面図である。
【図８】図８は、図７に示したＶＩＩＩ−ＶＩＩＩ線の断面図である。
【図９】図９は、同スライダーのロック部が弾性変形した状態を示す断面図である。
【図１０】図１０は、別の変形例に係るスライダーを示す正面図である。
【図１１】図１１は、図１０に示したＸＩ−ＸＩ線の断面図である。
【図１２】図１２は、更に別の変形例に係るスライダーを示す正面図である。
【図１３】図１３は、図１２に示したＸＩＩＩ−ＸＩＩＩ線の断面図である。
【図１４】図１４は、従来のスライドファスナーを示す正面図である。
【発明を実施するための形態】
【００６８】
以下、本発明の好適な実施の形態について、実施例を挙げて図面を参照しながら詳細に説明する。
【実施例１】
【００６９】
図１は、本実施例１に係るスライドファスナーを示す正面図であり、図２は、同スライドファスナーに配される停止エレメントを示す斜視図である。また、図３は、同スライドファスナーにおいて、停止エレメントとスライダーとの関係を示す断面図である。【００７０】
なお、以下の説明において、前後方向とは、スライドファスナーにおけるファスナーテープの長さ方向を指し、特に、左右のエレメント列を噛合させるように止具に向けてスライダーを摺動させる方向を前方とし、左右のエレメント列を分離させるように開離嵌挿具に向けてスライダーを摺動させる方向を後方とする。【００７１】
また、左右方向とは、ファスナーテープのテープ幅方向を指し、図１に示すようにスライドファスナーを正面側から見たときの左側及び右側をそれぞれ左方及び右方とする。上下方向とは、ファスナーテープのテープ面に直交するテープ表裏方向を指し、ファスナーテープのテープ面に対してスライダーの引手が配される側を上方とし、その反対側を下方とする。【００７２】
本実施例に係るスライドファスナー１は、ファスナーテープ１１の対向するテープ側縁部にエレメント列１２を備えた左右一対のファスナーストリンガー１０と、エレメント列１２に沿って摺動可能に配されたスライダー３０と、ファスナーストリンガー１０の後端部に配された開離嵌挿具４０と、エレメント列１２の上端から連続するように第１及び第２ファスナーテープ１１のテープ側縁部に固着された不図示の止具とを有している。【００７３】
この場合、左側に配されたファスナーストリンガー１０及びファスナーテープ１１が、本発明の第１ファスナーストリンガー及び第１ファスナーテープを構成し、右側に配されたファスナーストリンガー１０及びファスナーテープ１１が、本発明の第２ファスナーストリンガー及び第２ファスナーテープを構成している。【００７４】
本実施例１における左右のファスナーストリンガー１０は、それぞれ、ファスナーテープ１１と、テープ側縁部に配された合成樹脂製の複数のファスナーエレメント１３とを備えている。左右の各ファスナーテープ１１は、細幅の帯状に織製又は編成されており、ファスナー被着製品（例えば、衣服など）に縫い付けられるテープ主体部１１ａと、ファスナーエレメント１３が取り付けられるエレメント取付部１１ｂ（テープ側縁部）とを有している。また、ファスナーテープ１１におけるエレメント取付部１１ｂ側のテープ側端縁には芯紐部１７が配されている。
左右のファスナーテープ１１において、芯紐部１７を含むエレメント取付部１１ｂには、複数のファスナーエレメント１３が射出成形によりテープ長さ方向に沿って一定の間隔を開けて列設され、これらの複数のファスナーエレメント１３によってエレメント列１２が構成されている。また、左右のファスナーテープ１１の下端部における表裏面には、合成樹脂製の補強フィルム１８が貼着されている。【００７５】
なお本発明において、ファスナーエレメント１３の材質は限定されるものではなく、例えばポリアセタール、ポリプロピレン、ポリブチレンテレフタレート、ナイロン、ポリカーボネート等の合成樹脂を用いても良く、或いは、銅合金等の金属を用いても良い。本実施例１においては、合成樹脂を所定の形状に射出成形することにより、ファスナーエレメント１３が弾性変形可能に、特に上下方向に弾性変形可能に構成されている。【００７６】
本実施例１のエレメント列１２を構成するファスナーエレメント１３には、従来の一般的な形態を有する通常エレメント１４と、スライダー３０の摺動抵抗を増大させる抵抗部を備えた停止エレメント１５とが含まれている。この場合、停止エレメント１５は、左右のエレメント列１２にそれぞれ３つずつ連続して配されており、これらの停止エレメント１５を長さ方向で挟むようにして通常エレメント１４が配されている。【００７７】
特に、左側のエレメント列１２に配された３つの停止エレメント１５と、右側のエレメント列１２に配された３つの停止エレメント１５とは、互いに噛み合うことが可能なようにテープ長さ方向の対応する部位に配されており、これらの停止エレメント１５は、エレメント列１２の長さ方向における開離嵌挿具４０寄りに配置されている。【００７８】
通常エレメント１４は、ファスナーテープ１１のエレメント取付部１１ｂに固着された基部と、基部からテープ外方に延出し、テープ長さ方向に括れた形状を有する首部と、首部の先端側に配され、略長円形状を有する噛合頭部と、上下方向の略中央部にて首部から前後方向に延出する肩部とを備えており、左右のエレメント列１２を噛合させるときに、隣接するファスナーエレメント１３の首部の間に噛合相手方のファスナーエレメント１３の噛合頭部が係合するように構成されている。【００７９】
また、通常エレメント１４には、ファスナーテープ１１への固着強度を高めるために基部からテープ内方に延出するヒレ部を設けることも可能である。なお、ヒレ部を設ける場合、同ヒレ部の上下方向における厚さ寸法の最大値は、スライダー３０の後述するテープ溝３９の溝幅よりも小さく設定される。【００８０】
本実施例１において、通常エレメント１４の上面から下面までの上下方向における厚さ寸法の最大値は、スライダー３０の後述する上下翼板３３，３４の内壁面間の間隔（特に、その間隔の最小値）よりも小さく設定されている。これにより、通常エレメント１４がスライダー３０のエレメント案内路３８内を通過する際に、通常エレメント１４がスライダー３０に引っ掛かることを防ぐとともに、スライダー３０の摺動時に生じる摺動抵抗を小さく抑えている。【００８１】
一方、停止エレメント１５は、前述の通常エレメント１４の上面及び下面に抵抗部となる隆起部１５ｅを設けた形態に構成されており、何れの停止エレメント１５も同一の形状を有している。具体的には、図２に示したように、停止エレメント１５は、ファスナーテープ１１のエレメント取付部１１ｂに固着された基部１５ａと、基部１５ａからテープ外方に延出し、テープ長さ方向に括れた形状を有する首部１５ｂと、首部１５ｂの先端側に配され、略長円形状を有する噛合頭部１５ｃと、上下方向の略中央部にて首部１５ｂから前後方向に延出する肩部１５ｄと、基部１５ａの上面及び下面から隆起した隆起部（抵抗部）１５ｅとを備えている。【００８２】
この場合、上下の各隆起部１５ｅは、基部１５ａの前後方向及び左右方向の略中央部分に設けられており、スライドファスナー１を正面側又は背面側から見たときに、ファスナーテープ１１の芯紐部１７上に配されている。【００８３】
また、隆起部１５ｅの中央領域はファスナーテープ１１のテープ面と略平行に配されており、隆起部１５ｅの中央領域周縁から同隆起部１５ｅの前後端縁及び左右端縁（即ち、隆起部１５ｅと基部１５ａとの境界部）に亘る外面は、隆起部１５ｅの上下方向における厚さ寸法を各端縁に向けて徐々に低減させるように湾曲した湾曲面に形成されている。【００８４】
このような湾曲面が隆起部１５ｅに配されていることにより、例えば停止エレメント１５をスライダー３０のエレメント案内路３８に通過させる際に、スライダー３０の上下翼板３３，３４が湾曲面により案内されて、スライダー３０が停止エレメント１５の隆起部１５ｅを乗り越えることを補助できる。また、隆起部１５ｅの周面が湾曲していることにより、停止エレメント１５の見栄えが良くなり、スライドファスナー１の外観品質が高められる。【００８５】
また同停止エレメント１５において、基部１５ａの上面側に配された隆起部１５ｅから、基部１５ａの下面側に配された隆起部１５ｅまでの上下方向における停止エレメント１５の厚さ寸法の最大値は、スライダー３０の後述する上下翼板３３，３４の内壁面間の間隔（特に、その間隔の最小値）よりも少し大きく設定されている。【００８６】
これにより、停止エレメント１５がスライダー３０のエレメント案内路３８内に進入したときに、停止エレメント１５の上下の隆起部（抵抗部）１５ｅがスライダー３０の上下翼板３３，３４に確実に接触し、スライダー３０の摺動抵抗を、通常エレメント１４がスライダー３０のエレメント案内路３８内に進入した場合よりも大幅に増大させることができる。【００８７】
なお、本発明において、停止エレメント１５は、抵抗部によりスライダー３０の摺動抵抗を増大させるように構成されるものであり、例えばファスナーエレメントにおける基部の上下面に隆起部が配されているものの、上面側の隆起部から下面側の隆起部までの上下方向におけるファスナーエレメントの厚さ寸法の最大値が、スライダー３０の上下翼板３３，３４の内壁面間の間隔よりも小さく設定され、その隆起部によってはスライダー３０の摺動抵抗を増大させることができない場合、その隆起部は抵抗部に含まれない。【００８８】
また、本実施例１の停止エレメント１５は、前述のように、ファスナーテープ１１のエレメント取付部１１ｂに合成樹脂を射出成形することにより、図２に示したような上下の隆起部１５ｅが一体に形成された形態に構成されている。【００８９】
しかし、本発明では、通常エレメント１４を成形した後に、その基部に隆起部１５ｅを後から設けることによって停止エレメント１５を形成することも可能である。この場合、停止エレメント１５の基部１５ａと隆起部１５ｅとは同じ材質で構成しても良いし、異なる材質で構成しても良い。また、停止エレメント１５の隆起部１５ｅは、基部１５ａの上面及び下面の何れか一方のみに設けることも可能である。【００９０】
本実施例１のスライダー３０は、従来から一般的に用いられている所謂自由スライダーと実質的に同様の構成を有している。
具体的には、同スライダー３０は、スライダー胴体３１と、スライダー胴体３１に回動可能に保持される引手３２とを備えている。スライダー胴体３１は、上下翼板３３，３４と、同上下翼板３３，３４の前端部間を連結する案内柱３５と、上下翼板３３，３４の左右側縁から互いに近接する方向に延設された左右のフランジ部３６と、上翼板３３の上面に門型形状に立設された引手取付柱３７と有している。【００９１】
このスライダー胴体３１の前端には、案内柱３５を間に挟んで左右の肩口が形成されているとともに、スライダー胴体３１の後端には後口が形成されている。また、上下翼板３３，３４間には、左右の肩口と後口とを連通する略Ｙ字形状のエレメント案内路３８が形成されている。更に、上翼板３３から垂設された左右の上フランジ部３６と、下翼板３４から立設された左右の下フランジ部３６との間には、左右のファスナーテープ１１を挿通させることが可能なテープ溝３９が形成されている。【００９２】
なお、本発明において、スライダー３０の材質は特に限定されるものではなく、例えばポリアミド、ポリプロピレン、ポリアセタール等の合成樹脂やアルミニウム合金及び亜鉛合金などの金属を用いることができる。本実施例１においては、スライダー３０のスライダー胴体３１が合成樹脂により成形されており、少なくとも上下翼板３３，３４が案内柱３５を起点にして上下方向に弾性変形可能に構成されている。【００９３】
本実施例１の開離嵌挿具４０及び図示しない止具についても、従来から一般的に用いられているものと実質的に同様の構成を有している。
即ち、開離嵌挿具４０は、左側のエレメント列１２の後端から連続するようにファスナーテープ１１に固着された蝶棒４１と、右側のエレメント列１２の後端から連続するようにファスナーテープ１１に固着された箱棒４２と、箱棒４２の後端部に一体成形された箱体４３とを有しており、蝶棒４１が箱体４３に対して挿抜可能に構成されている。また、止具は、スライダー３０がエレメント列１２の前端から脱落しないように、左右のエレメント列１２の前端から連続するように左右のファスナーテープ１１に固着されている。【００９４】
なお、本発明において、開離嵌挿具４０や止具の構成は特に限定されるものではなく、任意に変更することができる。例えば、本実施例１の開離嵌挿具４０の代わりに、例えば前記特許文献１に記載されているように２つのスライダー、蝶棒、及び箱棒を備え、左右のエレメント列を長さ方向の両端部側から分離することが可能な開離嵌挿具を設けることも可能である。また、本実施例１の止具として、例えばスライダー３０を止具の位置で保持することが保持部を備えた止具を設けることも可能である。【００９５】
以上のような構成を有する本実施例１のスライドファスナー１は、スライダー３０を例えば停止エレメント１５との間にて生じる摺動抵抗よりも大きな適切な力で操作することにより、同スライダー３０をエレメント列１２に沿って円滑に摺動させ、左右のエレメント列１２を容易に開閉することができる。【００９６】
特に本実施例１の場合、停止エレメント１５とスライダー３０のスライダー胴体３１とが前述のように弾性変形可能に構成されている。このため、スライダー３０が適切な力で操作されて停止エレメント１５がスライダー３０のエレメント案内路３８内に進入し、停止エレメント１５の隆起部１５ｅがスライダー３０の内面に接触した際に、停止エレメント１５及びスライダー胴体３１の少なくとも一方を撓ませることができる。【００９７】
これにより、停止エレメント１５の上面側に配された隆起部１５ｅから下面側に配された隆起部１５ｅまでの厚さ寸法と、スライダー３０の上下翼板３３，３４の内壁面間の寸法との違いを、停止エレメント１５及び／又はスライダー胴体３１の撓みにより吸収でき、それによって、停止エレメント１５をスライダー３０のエレメント案内路３８に挿通させることができる（言い換えると、スライダー３０が停止エレメント１５を乗り越えることができる）。【００９８】
なお本発明において、スライダー３０が停止エレメント１５を乗り越えるためには、停止エレメント１５及びスライダー３０の少なくとも一方が弾性変形可能に構成されていれば良いが、停止エレメント１５とスライダー３０の両方を弾性変形可能に構成することにより、停止エレメント１５及びスライダー３０の各々の弾性変形量を少なくすることができるため、これらの部材の劣化を抑えて、スライドファスナー１の製品寿命を延ばすことにつながる。【００９９】
更にこのとき、本実施例１では、停止エレメント１５の隆起部１５ｅは、ファスナーテープ１１の芯紐部１７上に配置されていることから、その芯紐部１７の撓みも利用することにより、停止エレメント１５の隆起部１５ｅがスライダー３０の内面に接触した際に停止エレメント１５やスライダー３０が磨耗することを抑えつつ、スライダー３０が停止エレメント１５を乗り越えることができる。【０１００】
一方、スライダー３０をエレメント列１２の停止エレメント１５が配されている位置にて停止させた場合、図３に示したように、スライダー３０の上下翼板３３，３４の内壁面と停止エレメント１５の隆起部１５ｅとを接触させて、スライダー３０と停止エレメント１５との間に大きな摺動抵抗（摩擦）を生じさせてロックすることができる。このため、その発生した摺動抵抗を利用することにより、スライダー３０の停止状態を簡易的に保持することができる。【０１０１】
更に、例えばスライダー３０を通常エレメント１４が配されているエレメント列１２の位置で停止させた場合、通常エレメント１４とスライダー３０との間には抵抗が生じ難いため、スライダー３０が振動等を受けた際に自重によりエレメント列１２に沿って移動することがある。しかし、この場合、本実施例１のスライドファスナー１では、自重により移動するスライダー３０を、スライダー３０と停止エレメント１５との間に生じる摺動抵抗を利用して、同スライダー３０を停止エレメント１５の位置で停止させることができる。これによって、スライドファスナー１が使用者の意思に依らずに勝手に開閉するという不具合の発生を防止できる。【０１０２】
一方、スライダー３０を停止エレメント１５に保持されている状態から摺動させる場合には、スライダー３０を停止エレメント１５との間にて生じる摺動抵抗よりも大きな力で操作するか、或いは、左右のファスナーストリンガーを互いに離間する方向に力を加えてスライダー３０に停止エレメント１５との間にて生じる摺動抵抗よりも大きな力を与える。これにより、スライダー３０やファスナーエレメント１３などに破損を生じさせることなく、スライダー３０を停止エレメント１５の抵抗部を乗り越えさせ、エレメント列１２に沿って円滑に摺動させることができる。【０１０３】
なお、本発明に係るスライドファスナー１は、以上のような実施例１の形態に何ら限定されるものではなく、スライダーに対する抵抗部を備えた少なくとも１つの停止エレメントがエレメント列に配されているような本発明と実質的に同一な構成を有し、かつ、同様な作用効果を奏しさえすれば、多様な変更が可能である。【０１０４】
例えば、上記実施例１に係るスライドファスナー１のエレメント列１２は、ファスナーテープ１１に射出成形された複数の独立したファスナーエレメント１３により構成されているが、本発明では、モノフィラメントをコイル状又はジグザグ状に成形した連続するファスナーエレメントによってエレメント列が構成されていても良い。【０１０５】
また、停止エレメントは、図２に示した形態を有するものに限定されず、抵抗部の形態や個数などは任意に変更することができ、例えば図４（ａ）〜（ｍ）に示したような他の形態で構成されていても良い。以下、図４（ａ）〜（ｍ）に示した各停止エレメントの形態について簡単に説明する。なお、これらの停止エレメントは、前述の実施例１と同様に合成樹脂を射出成形することにより構成されている。【０１０６】
図４（ａ）に示した停止エレメント５１は、基部５１ａの上下面にそれぞれ４つの隆起部（抵抗部）５１ｅが整列して配されて構成されている。なお、この停止エレメント５１において、隆起部５１ｅ以外の構成については、実施例１の停止エレメント５１と同様に構成されている。即ち、図４（ａ）の停止エレメント５１は、実施例１の通常エレメント１４の上面及び下面に４つの隆起部５１ｅを設けた形態を有しており、これらの隆起部５１ｅは、何れもファスナーテープ１１の芯紐部１７上に配されるように設けられている。【０１０７】
この場合、上面側に配された隆起部５１ｅから、下面側に配された隆起部５１ｅまでの上下方向における停止エレメント５１の厚さ寸法の最大値は、前述の実施例１と同様に、スライダー３０の上下翼板３３，３４の内壁面間の間隔よりも大きく設定されている。これにより、当該停止エレメント５１がスライダー３０のエレメント案内路３８内に挿入されたときに、停止エレメント５１の隆起部５１ｅを、スライダー３０の上下翼板３３，３４に確実に接触させて、スライダー３０の摺動抵抗を増大させることができる。なお、このような効果は、後述する図４（ｂ）〜（ｇ）の隆起部５２ｅ〜５７ｅにおいても同様に得られる。【０１０８】
図４（ｂ）に示した停止エレメント５２は、幅方向に細長く形成された２つの隆起部（抵抗部）５２ｅが基部５２ａの上下面にそれぞれ配されて構成されている。
図４（ｃ）に示した停止エレメント５３は、円柱状の隆起部（抵抗部）５３ｅが基部５３ａの上下面にそれぞれ配されて構成されている。【０１０９】
図４（ｄ）に示した停止エレメント５４の隆起部（抵抗部）５４ｅは、停止エレメント５４の長さ方向の略全体に亘って中央部が高くなるような山状に形成されており、同隆起部５４ｅの稜線部から前端縁及び後端縁にかけて下り傾斜する傾斜面を有している。このような傾斜面が隆起部５４ｅに配されていることにより、スライダー３０が停止エレメント５４の隆起部５４ｅを乗り越え易くすることができる。
図４（ｅ）に示した停止エレメント５５の隆起部（抵抗部）５５ｅは、同停止エレメント５５の長さ方向の中央部に配され、円弧状に湾曲した外面（上面又は下面）を有している。即ち、この隆起部５５ｅおけるテープ幅方向に垂直に切断した切断面は弓形に形成されており、それによって、スライダー３０が隆起部５５ｅを乗り越え易くしている。【０１１０】
図４（ｆ）に示した停止エレメント５６では、基部、首部及び噛合頭部の領域に亘る停止エレメント５６の上下面に、それぞれ３つの隆起部（抵抗部）５６ｅがテープ幅方向に整列して配されている。
図４（ｇ）に示した停止エレメント５７では、円弧状に湾曲した外面を有し、テープ幅方向に垂直な切断面が弓形に形成されている隆起部５７ｅが、基部から噛合頭部に亘ってテープ幅方向に沿って配されている。【０１１１】
図４（ｈ）に示した停止エレメント５８は、前述の実施例１における通常エレメント１４に比べて、エレメント上面からエレメント下面までの上下方向（テープ表裏方向）における厚さ寸法を大きくすることによって構成されている。この場合、停止エレメント５８における厚さ寸法の最大値を、スライダー３０の上下翼板３３，３４の内壁面間の間隔よりも大きく設定することにより、スライダー３０の摺動抵抗を増大させる抵抗部が構成されている。【０１１２】
図４（ｉ）に示した停止エレメント５９は、前述の実施例１における通常エレメント１４の形態に、基部５９ａからテープ内方に向けて延在するヒレ部５９ｆと、ヒレ部５９ｆの上面及び下面に隆起する隆起部５９ｇとを追加した構造を有しており、この停止エレメント５９のヒレ部５９ｆは、スライダー３０のテープ溝３９を挿通するように構成されている。【０１１３】
この場合、ヒレ部５９ｆの上面側に配された隆起部５９ｇから下面側に配された隆起部５９ｇまでの上下方向における厚さ寸法の最大値は、スライダー３０のテープ溝３９の溝幅よりも大きく設定されており、上下の隆起部５９ｇを有するヒレ部５９ｆがスライダー３０の摺動抵抗を増大させる抵抗部として構成されている。【０１１４】
図４（ｊ）に示した停止エレメント６０は、図４（ｉ）に示した停止エレメント５９の形態に、基部６０ａの上下両面に隆起部６０ｅを追加した構造を有している。この場合、基部６０ａに配された隆起部６０ｅと、隆起部６０ｇを有するヒレ部６０ｆとが、それぞれスライダー３０の摺動抵抗を増大させる抵抗部として構成されている。【０１１５】
図４（ｋ）に示した停止エレメント６１は、基部６１ａからテープ内方に向けて延在するヒレ部６１ｆを有している。この停止エレメント６１では、ヒレ部６１ｆ全体のサイズを大きくし、ヒレ部６１ｆの上面から下面までの上下方向（テープ表裏方向）における厚さ寸法の最大値を、スライダー３０のテープ溝３９の溝幅よりも大きく設定することにより抵抗部が構成されている。【０１１６】
図４（ｌ）に示した停止エレメント６２は、基部６２ａからテープ内方に向けてテープ幅方向に突出する突出部６２ｈを有する。この突出部６２ｈにおける基部６２ａ側面からの突出高さは、スライダー３０の後口側端部における左右フランジ部３６間の最小間隔に対して設定されている。【０１１７】
即ち、この停止エレメント６２では、図５に示したように、左右のエレメント列１２を噛合させたときに停止エレメント６２が配されている位置におけるエレメント列１２のチェーン幅を、スライダー３０の後口側端部における左右フランジ部３６間の最小間隔よりも大きくするように、停止エレメント６２における突出部６２ｈの突出高さを設定することにより、スライダー３０の摺動抵抗を増大させる抵抗部が構成されている。【０１１８】
この場合、左右のエレメント列１２において、停止エレメント６２同士が噛み合うように停止エレメント６２を配置することにより、停止エレメント６２の突出部６２ｈにてスライダー３０の摺動抵抗をより効果的に増大させることができる。また、スライダー３０は、左右のフランジ部３６がテープ幅方向に弾性変形可能に構成されていることが好ましく、それによって、スライダー３０が適切な力で操作されたときに停止エレメント１５を乗り越えることが可能となる。【０１１９】
図４（ｍ）に示した停止エレメント６３は、図４（ｄ）に示した停止エレメント５４における隆起部５４ｅの前半部が切除されたような形態を有している。即ち、図４（ｍ）の停止エレメント６３における基部６３ａの上面側及び下面側には、基部６３ａの後端縁部から前方に向けてエレメントの厚さ寸法を漸増させるように上り傾斜する第１傾斜面６３ｉと、停止エレメント６３における長さ方向の略中央部から前方に向けて急角度で下り傾斜する第２傾斜面６３ｊとを備えた隆起部６３ｅが配されており、ファスナーテープ１１のテープ面に対する第２傾斜面６３ｊの傾斜角度は、第１傾斜面６３ｉの傾斜角度よりも大きく設定されている。この場合、隆起部６３のテープ幅方向に垂直な切断面は三角形に形成されている。【０１２０】
このように構成された停止エレメント６３は、例えば隆起部６３ｅの第１傾斜面６３ｉが後方側（開離嵌挿具４０側）に向くようにエレメント列１２に配された場合において、スライダー３０を左右のエレメント列１２を噛合させる方向（前方）に摺動させたときに、同停止エレメント６３がスライダー３０の肩口からエレメント案内路３８内に進入する。【０１２１】
このとき、停止エレメント６３は、隆起部６３ｅの第１傾斜面６３ｉ側からスライダー３０のエレメント案内路３８内に入るため、傾斜角度が緩やかな第１傾斜面６３ｉによってスライダー３０の上下翼板３３，３４が案内されて、停止エレメント６３の隆起部６３ｅを円滑に乗り超えるようにスライダー３０を補助する効果が得られる。【０１２２】
一方、スライダー３０を左右のエレメント列１２を分離させる方向（後方）に摺動させたときには、同停止エレメント６３がスライダー３０の後口からエレメント案内路３８内に進入する。このとき、停止エレメント６３は、隆起部６３ｅの第２傾斜面６３ｊ側からスライダー３０のエレメント案内路３８内に入るため、上述の第１傾斜面６３ｉのようなスライダー３０に対する補助効果は得られ難くなるものの、同停止エレメント６３の位置にてスライダー３０を停止させ易くする効果が得られる。【０１２３】
即ち、図４（ｍ）の停止エレメント６３は、スライダー３０を摺動させる方向によって上述のような異なる効果を得ることができ、例えばスライドファスナーが停止エレメント６３を有することにより、同ファスナーエレメントを左右のエレメント列を円滑に噛合させるものの、エレメント列を分離させ難く構成することが可能となる。【０１２４】
また、本発明においては、スライドファスナーのエレメント列に配置する停止エレメントの位置や個数についても特に限定されるものではなく、図６（ａ）〜（ｄ）に示したように必要に応じて任意に変更することができる。【０１２５】
例えば図６（ａ）に示したスライドファスナー２のように、停止エレメント１５を一方のファスナーストリンガー１０のエレメント列１２のみに配置しても良く、それによっても、停止エレメント１５によってスライダー３０を簡易的に停止させ、そのスライダー３０の停止状態を安定して保持することができる。また、図６（ａ）のスライドファスナー２において、停止エレメント１５は、エレメント列１２のスライダー３０を停止させたい所望の位置に配置される。【０１２６】
この場合、停止エレメント１５は箱棒４２が配される側のファスナーストリンガー１０のエレメント列１２に配されることが好ましい。例えば、左右のエレメント列１２全体が分離して左右のファスナーストリンガー１０が引き離される場合、スライダー３０は箱棒４２が配される側のエレメント列１２に保持される。従って、箱棒４２が配される側のエレメント列１２に停止エレメント１５が配されていることにより、左右のファスナーストリンガー１０が引き離されているときでも、上述のようなスライダー３０に対する停止エレメント１５の効果を安定して得ることができる。【０１２７】
図６（ｂ）に示したスライドファスナー３では、３つのファスナーエレメントごとに１つの停止エレメント１５が左右のエレメント列１２のそれぞれに配されており、特に、これらの停止エレメント１５は、左右のエレメント列１２間で停止エレメント１５同士が噛み合うように配置されている。この場合、停止エレメント１５は、エレメント列１２の長さ方向の全体に亘って所定のピッチ（間隔）で配されていても良く、或いは、エレメント列１２の長さ方向の所定領域のみに所定のピッチで配されていても良い。【０１２８】
また、図６（ｃ）に示したスライドファスナー４では、複数の停止エレメント１５が連続して配置された領域（停止領域）が、エレメント列１２の複数個所に設けられている。この場合も、停止エレメント１５は、左右のエレメント列１２間で停止エレメント１５同士が噛み合うように配置されている。なお、停止領域内に配置する停止エレメント１５の個数は任意に変更することができる。【０１２９】
更に、図６（ｄ）に示したスライドファスナー５では、停止エレメント１５が左右のエレメント列１２に所定のピッチで配されているものの、左右のエレメント列１２間で停止エレメント１５同士が噛み合わないように配置されている。特に、図６（ｄ）のスライドファスナー５では、停止エレメント１５が、左右のエレメント列１２において所定のピッチ毎に左右にジグザグ状に配置されている。【０１３０】
図６（ｂ）〜図６（ｄ）に示したように停止エレメント１５を配置したスライドファスナー３〜５であっても、前述の実施例１と同様に、スライダー３０に対する停止エレメント１５の効果を安定して得ることができる。【０１３１】
また、本発明に係るスライドファスナーが、例えばスポーツウエアのような衣類の前身頃に使用される場合、停止エレメント１５は、エレメント列１２の長さ方向において、エレメント列１２の開き側の端部である止具の位置から、エレメント列１２の５０％以内の領域内、特に２０％以内の領域内に配されていることが好ましい。これにより、その衣類において一般的にスライダー３０を停止させる頻度の高い領域内に停止エレメント１５を効果的に配置して、スライダー３０を安定して停止させることができる。【０１３２】
更に本発明では、スライドファスナーに配されるスライダーの構成についても任意に変更することができ、例えば以下に示す変形例１〜変形例３に係るロック部７２，８２，９２を備えたスライダーを、前述の実施例１に係る自由スライダー３０の代わりに用いることができる。【０１３３】
なお、変形例１〜変形例３に係るスライダーの材質も特に限定されるものではないが、これらのスライダーにおけるスライダー胴体７１，８１，９１の一部を後述のように弾性変形可能にするためには、スライダー胴体７１，８１，９１を、ポリアミド、ポリプロピレン、ポリアセタール等の合成樹脂を用いて成形することが好ましい。【０１３４】
変形例１に係るスライダーのスライダー胴体７１は、図７及び図８に示したように、上下翼板７３，７４と、同上下翼板７３，７４の前端部間を連結する案内柱７５と、上下翼板７３，７４の左右側縁から互いに近接する方向に延設されたフランジ部７６と、上翼板７３に立設された引手取付柱７７と、上翼板７３の後口側端縁から前方に向けて平行に設けられた２つ一組のスリット７９と、スリット７９間に配されたロック部７２と、上翼板７３の内面に設けられた凹溝部７３ａとを有している。【０１３５】
変形例１のロック部７２は、上翼板７３に一体に設けられており、一対のスリット７９に挟まれるように同スリット７９の閉塞側端部から後方に延びる弾性片部７２ａと、弾性片部７２ａの先端部内面から下方に突設された凸部７２ｂとを有している。【０１３６】
この場合、上翼板７３に設けられる凹溝部７３ａが、弾性片部７２ａの位置と重なるように配されており、弾性片部７２ａにおける上下方向の厚さが、弾性片部７２ａ以外の上翼板７３の厚さよりも薄く設定されている。これにより、弾性片部７２ａは、上下方向に弾性変形し易く構成されている。なお、弾性片部７２ａは、スライダー胴体７１の材質、スリット７９の長さ、弾性片部７２ａの厚さなどを適宜設定することにより、所望の弾性変形量を確保できる。【０１３７】
弾性片部７２ａの先端部に配された凸部７２ｂは、同凸部７２ｂの下端位置（先端位置）が上翼板７３の主内壁面の位置よりも下翼板７４側に配されるように形成されており、凸部７２ｂの下端位置から下翼板７４の主内壁面の位置までの上下方向の寸法が、停止エレメント１５における上面側の隆起部１５ｅから下面側の隆起部１５ｅまでの上下方向の寸法の最大値よりも小さく設定されている。これにより、停止エレメント１５がエレメント案内路７８内を通過する際に、ロック部７２の凸部７２ｂを停止エレメント１５の隆起部（抵抗部）１５ｅに確実に干渉させることができる。【０１３８】
またこの場合、凸部７２ｂの左右方向に垂直な切断面は半円形状に形成されており、これにより、適度な力でスライダーを操作したときにロック部７２の凸部７２ｂが停止エレメント１５の隆起部１５ｅを乗り越えることを補助する。【０１３９】
同スライダー胴体７１における凹溝部７３ａは、停止エレメント１５がエレメント案内路７８内を通過するときに同停止エレメント１５の隆起部１５ｅが通る進路に沿って、スライダー胴体７１の肩口から後口にかけて配されている。この場合、凹溝部７３ａの溝幅及び溝深さは、停止エレメント１５に配される隆起部１５ｅの大きさに対応して設定される。【０１４０】
このような変形例１に係るスライダーを、前述の実施例１に係るスライドファスナー１の自由スライダーの代わりに使用した場合、図９に示したように、停止エレメント１５が変形例１のスライダーのエレメント案内路７８内に進入した際に、同スライダーに配されたロック部７２の弾性片部７２ａが上下方向に撓みながら、ロック部７２の凸部７２ｂと停止エレメント１５の隆起部１５ｅとが接触して大きな摺動抵抗を生じさせる。これにより、同スライダーを停止させ、その停止状態を保持することができる。【０１４１】
また、変形例１のスライダーには、上述のような凹溝部７３ａが設けられていることにより、同スライダーのエレメント案内路７８内に停止エレメント１５が進入した際に、上下翼板７３，７４と停止エレメント１５の隆起部１５ｅが過度に干渉することを防ぎ、干渉による停止エレメント１５やスライダーの磨耗を抑えることができる。【０１４２】
更に、変形例１のスライダーでは、ロック部７２が上翼板７３に一体に設けられているため、一回の射出成形工程にて、引手も一体的に形成される変形例１のスライダーを得ることが可能となり、スライダーにおける製造工程の簡略化や、部品点数の減少による製造コストの削減が図れる。【０１４３】
なお、変形例１のスライダーにおいて、ロック部７２は上翼板７３の後口側端部に配されているが、本発明はこれに限定されず、ロック部７２を上翼板７３の肩口側端部に配置することも可能であり、また、ロック部７２を下翼板７４のみに、又は上下翼板７３，７４の両方に設けることも可能である。【０１４４】
更に、変形例１におけるロック部７２及び凹溝部７３ａは、一方のエレメント列１２に配された停止エレメント１５に対応させて設けられているが、本発明では、左右両方のエレメント列１２に配された停止エレメント１５に対応させるように、ロック部７２及び凹溝部７３ａをスライダー胴体７１に左右対称的に設けることも可能である。【０１４５】
次に、図１０及び図１１には、変形例２に係るスライダーのスライダー胴体８１が図示されている。この変形例２におけるスライダー胴体８１は、上下翼板８３，８４と、同上下翼板８３，８４の前端部間を連結する案内柱８５と、上下翼板８３，８４の左右側縁から互いに近接する方向に延設されたフランジ部８６と、上翼板８３に立設された引手取付柱８７と、上翼板８３の後口側寄りの部位に穿設された孔部８９と、同孔部８９に囲まれるようにして上翼板８３と一体に配されたロック部８２と、上翼板８３の内面に設けられた凹溝部８３ａとを有している。【０１４６】
同スライダー胴体８１における孔部８９は、上翼板８３にロック部８２を設けるために上翼板８３の上面から内壁面側に貫通して設けられており、上面側から見たときに略U字状を呈している。変形例２のロック部８２は、孔部８９に延出するように配された弾性片部８２ａと、弾性片部８２ａの先端部内面から下方に突設された凸部８２ｂとを有している。【０１４７】
この場合、上翼板８３に設けられる凹溝部８３ａが、弾性片部８２ａの位置と重なるように配されているため、前述の変形例１と同様に、弾性片部８２ａにおける上下方向の厚さが弾性片部８２ａ以外の上翼板８３の厚さよりも薄く、弾性片部８２ａが上下方向に弾性変形し易く構成されている。【０１４８】
また、同ロック部８２の凸部８２ｂは、同凸部８２ｂの下端位置（先端位置）が上翼板８３の主内壁面の位置よりも下翼板８４側に配されるように形成されており、凸部８２ｂの下端位置から下翼板８４の主内壁面の位置までの上下方向の寸法が、停止エレメント１５における上面側の隆起部１５ｅから下面側の隆起部１５ｅまでの上下方向の寸法の最大値よりも小さく設定されている。更に、凸部８２ｂの左右方向に垂直な切断面は半円形状に形成されている。【０１４９】
同スライダー胴体８１における凹溝部８３ａは、前述の変形例１と同様に、停止エレメント１５がエレメント案内路８８内を通過するときに同停止エレメント１５の隆起部１５ｅが通る進路に沿って、スライダー胴体８１の肩口から後口にかけて配されている。【０１５０】
図１２及び図１３には、変形例３に係るスライダーのスライダー胴体９１が図示されている。この変形例３におけるスライダー胴体９１は、上下翼板９３，９４と、同上下翼板９３，９４の前端部間を連結する案内柱９５と、上下翼板９３，９４の左右側縁から互いに近接する方向に延設されたフランジ部９６と、上翼板９３に立設された引手取付柱９７と、上翼板９３の後口側端部に一体に配されたロック部９２と、上翼板９３の内面に設けられた凹溝部９３ａとを有している。【０１５１】
変形例３のロック部９２は、上翼板９３の後口側端縁から後方に延設された弾性片部９２ａと、弾性片部９２ａの先端部内面から下方に突設された凸部９２ｂとを有している。この場合、上翼板９３に設けられる凹溝部９３ａの延長線上に弾性片部９２ａが配されており、弾性片部９２ａにおける上下方向の厚さが、弾性片部９２ａ以外の上翼板９３の厚さよりも薄く設定されている。【０１５２】
また、同ロック部９２の凸部９２ｂは、同凸部９２ｂの下端位置（先端位置）が上翼板９３の主内壁面の位置よりも下翼板９４側に配されるように形成されており、凸部９２ｂの下端位置から下翼板９４の主内壁面の位置までの上下方向の寸法が、停止エレメント１５における上面側の隆起部１５ｅから下面側の隆起部１５ｅまでの上下方向の寸法の最大値よりも小さく設定されている。更に、凸部９２ｂの左右方向に垂直な切断面は半円形状に形成されている。【０１５３】
上述のような変形例２に係るスライダーや変形例３に係るスライダーを、前述の実施例１に係るスライドファスナー１の自由スライダー３０の変わりに使用した場合にも、変形例１に係るスライダーを用いた場合と同様の効果を得ることができる。
【符号の説明】
【０１５４】
１                スライドファスナー
２                スライドファスナー
３                スライドファスナー
４                スライドファスナー
５                スライドファスナー
１０                ファスナーストリンガー
１１                ファスナーテープ
１１ａ              テープ主体部
１１ｂ              エレメント取付部
１２                エレメント列
１３                ファスナーエレメント
１４                通常エレメント
１５                停止エレメント
１５ａ              基部
１５ｂ              首部
１５ｃ              噛合頭部
１５ｄ              肩部
１５ｅ              隆起部
１７                芯紐部
１８                補強フィルム
３０                スライダー
３１                スライダー胴体
３２                引手
３３                上翼板
３４                下翼板
３５                案内柱
３６                フランジ部
３７                引手取付柱
３８                エレメント案内路
３９                テープ溝
４０                開離嵌挿具
４１                蝶棒
４２                箱棒
４３                箱体
５１                停止エレメント
５１ａ              基部
５１ｅ              隆起部
５２                停止エレメント
５２ａ              基部
５２ｅ              隆起部
５３                停止エレメント
５３ａ              基部
５３ｅ              隆起部
５４                停止エレメント
５４ｅ              隆起部
５５                停止エレメント
５５ｅ              隆起部
５６                停止エレメント
５６ｅ              隆起部
５７                停止エレメント
５７ｅ              隆起部
５８                停止エレメント
５９                停止エレメント
５９ａ              基部
５９ｆ              ヒレ部
５９ｇ              隆起部
６０                停止エレメント
６０ａ              基部
６０ｅ              隆起部
６０ｆ              ヒレ部
６０ｇ              隆起部
６１                停止エレメント
６１ａ              基部
６１ｆ              ヒレ部
６２                停止エレメント
６２ａ              基部
６２ｈ              突出部
６３                停止エレメント
６３ａ              基部
６３ｅ              隆起部
６３ｉ              第１傾斜面
６３ｊ              第２傾斜面
７１                スライダー胴体
７２                ロック部
７２ａ              弾性片部
７２ｂ              凸部
７３                上翼板
７３ａ              凹溝部
７４                下翼板
７５                案内柱
７６                フランジ部
７７                引手取付柱
７８                エレメント案内路
７９                スリット
８１                スライダー胴体
８２                ロック部
８２ａ              弾性片部
８２ｂ              凸部
８３                上翼板
８３ａ              凹溝部
８４                下翼板
８５                案内柱
８６                フランジ部
８７                引手取付柱
８８                エレメント案内路
８９                孔部
９１                スライダー胴体
９２                ロック部
９２ａ              弾性片部
９２ｂ              凸部
９３                上翼板
９３ａ              凹溝部
９４                下翼板
９５                案内柱
９６                フランジ部
９７                引手取付柱
【図１】
2012127688.tif 000003
【図２】
2012127688.tif 000004
【図３】
2012127688.tif 000005
【図４】
2012127688.tif 000006
【図５】
2012127688.tif 000007
【図６】
2012127688.tif 000008
【図７】
2012127688.tif 000009
【図８】
2012127688.tif 000010
【図９】
2012127688.tif 000011
【図１０】
2012127688.tif 000012
【図１１】
2012127688.tif 000013
【図１２】
2012127688.tif 000014
【図１３】
2012127688.tif 000015
【図１４】
2012127688.tif 000016
【手続補正書】
【提出日】平成26年5月19日(2014.5.19)
【手続補正２】
【補正対象書類名】特許請求の範囲
【補正対象項目名】請求項１７
【補正方法】変更
【補正の内容】
【請求項１７】
上下翼板(33,34,73,74,83,84,93,94) と、前記上下翼板(33,34,73,74,83,84,93,94) 間を連結する案内柱(35,75,85,95) と、前記上下翼板(33,34,73,74,83,84,93,94) の少なくとも一方の左右側縁部に配されたフランジ部(36,76,86,96) とを有するスライドファスナー用のスライダーであって、
前記上下翼板(33,34,73,74,83,84,93,94) の少なくとも一方に一体に設けられ、前記スライドファスナーのファスナーエレメント(13)に干渉して前記スライダーの停止状態を保持するロック部(72,82,92)を有し、
前記ロック部(72,82,92)は、テープ表裏方向に弾性変形可能に構成されてなる、
請求項１記載のスライドファスナー。
【手続補正３】
【補正対象書類名】特許請求の範囲
【補正対象項目名】請求項１８
【補正方法】変更
【補正の内容】
【請求項１８】
前記ロック部(72,82,92)は、前記上翼板(73,83,93)の主内壁面又は前記下翼板(74,84,94)の主内壁面よりも、上下方向の内側に突設された凸部(72b,82b,92b) を有してなる、
請求項１７記載のスライドファスナー。
【手続補正４】
【補正対象書類名】特許請求の範囲
【補正対象項目名】請求項１９
【補正方法】変更
【補正の内容】
【請求項１９】
前記上下翼板(73,74) の少なくとも一方に、後口側端部又は肩口側端部から切り込まれた一対のスリット(79)が配され、
前記凸部(72b) は、前記スリット(79)間に挟まれた弾性片部(72a) の先端に配されてなる、
請求項１８記載のスライドファスナー。
【手続補正５】
【補正対象書類名】特許請求の範囲
【補正対象項目名】請求項２０
【補正方法】変更
【補正の内容】
【請求項２０】
前記上下翼板(33,34,73,74,83,84,93,94) の少なくとも一方に、前記スライドファスナーのファスナーエレメント(13)との干渉を回避する凹溝部(73a,83a,93a) が配されてなる、
請求項１７〜１９のいずれかに記載のスライドファスナー。
【国際調査報告】
2012127688.tif 000017
2012127688.tif 000018
2012127688.tif 000019
2012127688.tif 000020